(57)【要約】【課題】端末毎に教育コンテンツを用意することなく当該各端末において同一の教育コンテンツを受講することが可能な教育システムを提供することにある。【解決手段】抽出手段は、教育コンテンツからテキストを抽出する。第１の送信手段は、テキストを第１の端末に送信する。第１の受信手段は、テキストにて教育コンテンツを受講した旨を示す通知を第１の端末から受信する。受講状況格納手段は、受信された通知に応じて、教育コンテンツに対するユーザの受講状況を管理するための受講状況番号に対応づけて当該受講状況を示す受講状況情報が格納される。第２の送信手段は、受講状況格納手段に格納された受講状況番号を第１の端末に送信する。第２の受信手段は、受講状況番号を第２の端末から受信する。配信手段は、受講状況番号に対応づけて受講状況格納手段に格納されている受講状況情報に基づいて、教育コンテンツを第２の端末に配信する。【選択図】図２
2012255997.tif 000002
【特許請求の範囲】
【請求項１】
テキストを受信して表示することが可能な第１の端末及びユーザを教育するための教育コンテンツを受講可能な第２の端末であって、前記ユーザによって利用される第１及び第２の端末と接続された教育システムにおいて、
前記教育コンテンツからテキストを抽出する抽出手段と、
前記抽出されたテキストを前記第１の端末に送信する第１の送信手段と、
前記送信されたテキストにて前記教育コンテンツを受講した旨を示す通知を前記第１の端末から受信する第１の受信手段と、
前記受信された通知に応じて、前記教育コンテンツに対する前記ユーザの受講状況を管理するための受講状況番号に対応づけて当該受講状況を示す受講状況情報が格納される受講状況格納手段と、
前記受講状況格納手段に格納された受講状況番号を前記第１の端末に送信する第２の送信手段と、
前記受講状況番号を前記第２の端末から受信する第２の受信手段と、
前記受信された受講状況番号に対応づけて前記受講状況格納手段に格納されている受講状況情報に基づいて、前記教育コンテンツを前記第２の端末に配信する配信手段と
を具備することを特徴とする教育システム。
【請求項２】
前記教育コンテンツは、当該教育コンテンツが分割された複数の教育コンテンツ部分から構成され、
前記抽出手段は、前記教育コンテンツを構成する教育コンテンツ部分からテキストを抽出し、
前記第１の受信手段は、前記送信されたテキストにて当該テキストが抽出された前記教育コンテンツ部分を受講した旨を示す通知を前記第１の端末から受信し、
前記受講状況格納手段に格納される受講状況情報は、前記教育コンテンツを構成する複数の教育コンテンツ部分のうち前記ユーザが受講した教育コンテンツ部分を示し、
前記配信手段は、前記第２の受信手段によって受信された受講状況番号に対応づけて前記受講状況格納手段に格納されている受講状況情報に基づいて、前記教育コンテンツを構成する複数の教育コンテンツ部分のうち前記ユーザによって受講されていない教育コンテンツ部分を前記第２の端末に配信する
ことを特徴とする請求項１記載の教育システム。
【請求項３】
前記配信された教育コンテンツ部分を受講した旨を示す通知を前記第２の端末から受信する第３の受信手段を更に具備し、
前記受講状況管理手段は、前記第３の受信手段によって受信された通知に基づいて、前記第２の受信手段によって受信された受講状況番号に対応づけて前記受講状況格納手段に格納されている受講状況情報を更新する
ことを特徴とする請求項２記載の教育システム。
【請求項４】
前記第１の端末は、画像を表示することが可能であり、
前記教育コンテンツは、画像を含み、
前記第１の送信手段は、前記教育コンテンツに含まれる画像を前記第１の端末で表示するための情報を更に送信する
ことを特徴とする請求項１記載の教育システム。
【発明の詳細な説明】
【技術分野】
【０００１】
本発明の実施形態は、教育コンテンツを受講するための教育システムに関する。
【背景技術】
【０００２】
近年、例えばパーソナルコンピュータ（ＰＣ）等を用いて教育を行うｅラーニングが知られている。
【０００３】
このｅラーニングを行うシステム（以下、教育システムと表記）によれば、ユーザを教育するためのコンテンツ（以下、教育コンテンツと表記）を当該ユーザによって利用される端末において受講することができる。
【０００４】
これに関連して、近年では、デスクトップ型ＰＣのような固定端末（非携帯端末）に加えて、携帯端末においても教育コンテンツを受講することが可能な教育システムが開発されている。
【先行技術文献】
【特許文献】
【０００５】
【特許文献１】特開２００４−０６９７２８号公報
【特許文献２】特開２００３−２５５８１０号公報
【発明の概要】
【発明が解決しようとする課題】
【０００６】
しかしながら、上記した固定端末及び携帯端末において教育コンテンツを受講することが可能な教育システムにおいては、当該固定端末及び携帯端末で表示可能な情報が異なることから、当該各端末に合わせて教育コンテンツ（及びシステム機能）を用意する必要がある。このため、同一の教育コンテンツが各端末において受講される場合、当該受講履歴の一元管理等が煩雑となる。
【０００７】
そこで、本発明が解決しようとする課題は、端末毎に教育コンテンツを用意することなく当該各端末において同一の教育コンテンツを受講することが可能な教育システムを提供することにある。
【課題を解決するための手段】
【０００８】
実施形態によれば、テキストを受信して表示することが可能な第１の端末及びユーザを教育するための教育コンテンツを受講可能な第２の端末であって、前記ユーザによって利用される第１及び第２の端末と接続された教育システムが提供される。
【０００９】
実施形態に係る教育システムは、抽出手段と、第１の送信手段と、第１の受信手段と、受講状況格納手段と、第２の送信手段と、第２の受信手段と、配信手段とを具備する。
【００１０】
抽出手段は、前記教育コンテンツからテキストを抽出する。
【００１１】
第１の送信手段は、前記抽出されたテキストを前記第１の端末に送信する。
【００１２】
第１の受信手段は、前記送信されたテキストにて前記教育コンテンツを受講した旨を示す通知を前記第１の端末から受信する。
【００１３】
受講状況格納手段は、前記受信された通知に応じて、前記教育コンテンツに対する前記ユーザの受講状況を管理するための受講状況番号に対応づけて当該受講状況を示す受講状況情報が格納される。
【００１４】
第２の送信手段は、前記受講状況格納手段に格納された受講状況番号を前記第１の端末に送信する。
【００１５】
第２の受信手段は、前記受講状況番号を前記第２の端末から受信する。
【００１６】
配信手段は、前記受信された受講状況番号に対応づけて前記受講状況格納手段に格納されている受講状況情報に基づいて、前記教育コンテンツを前記第２の端末に配信する。
【図面の簡単な説明】
【００１７】
【図１】実施形態に係る教育システムのハードウェア構成を示すブロック図。
【図２】図１に示す教育システム３０の主として機能構成を示すブロック図。
【図３】図２に示す教育システム３０に含まれる受講者情報格納部２３のデータ構造の一例を示す図。
【図４】携帯端末４０において教育コンテンツが受講される際の教育管理システム３０の処理手順を示すフローチャート。
【図５】受講状況情報が登録された後の受講状況格納部２４のデータ構造の一例を示す図。
【図６】固定端末５０において教育コンテンツが受講される際の教育管理システム３０の処理手順を示すフローチャート。
【発明を実施するための形態】
【００１８】
以下、図面を参照して、実施形態について説明する。
【００１９】
図１は、本実施形態に係る教育システムのハードウェア構成を示すブロック図である。図１に示すように、コンピュータ１０は、例えばハードディスクドライブ（ＨＤＤ：Hard Disk Drive）のような外部記憶装置２０と接続されている。この外部記憶装置２０は、コンピュータ１０によって実行されるプログラム２１を格納する。コンピュータ１０及び外部記憶装置２０は、教育システム３０を構成する。
【００２０】
この教育システム３０は、例えば携帯電話のような携帯端末及びデスクトップ型パーソナルコンピュータ（ＰＣ）のような固定端末（非携帯端末）においてユーザを教育するための教育コンテンツを当該ユーザが受講する際に用いられる。なお、携帯端末は、少なくともテキストを受信して表示する機能を有するものとする。具体的には、携帯端末は、例えばメール送受信機能及びブラウザ機能を有する。また、固定端末は、例えば配信された教育コンテンツを受講可能な機能を有するものとする。
【００２１】
図２は、図１に示す教育システム３０の主として機能構成を示すブロック図である。なお、図２に示すように、教育システム３０は、携帯端末４０（第１の端末）及び固定端末５０（第２の端末）と通信可能に接続されている。この携帯端末４０及び固定端末５０は、上記した教育コンテンツを受講する同一のユーザによって利用されるものとする。
【００２２】
教育システム３０は、コンテンツフィルタ３１、メール送信部３２、メール受信部３３、受講状況管理部３４及び教育コンテンツ配信部３５を含む。本実施形態において、これらの各部３１〜３５は、図１に示すコンピュータ１０が外部記憶装置２０に格納されているプログラム２１を実行することにより実現されるものとする。このプログラム２１は、コンピュータ読み取り可能な記憶媒体に予め格納して頒布可能である。また、このプログラム２１が、例えばネットワークを介してコンピュータ１０にダウンロードされても構わない。
【００２３】
また、教育システム３０は、教育コンテンツ格納部２２、受講者情報格納部２３及び受講状況格納部２４を含む。本実施形態において、これらの各部２２〜２４は、例えば外部記憶装置２０に格納される。
【００２４】
教育コンテンツ格納部２２には、ユーザによって受講される教育コンテンツが予め格納されている。教育コンテンツ格納部２２に格納されている教育コンテンツは、例えばｗｅｂベースのＨＴＭＬ（Hyper Text Markup Language）形式であるものとする。また、教育コンテンツ格納部２２に格納されている教育コンテンツには、例えばテキスト及び画像等が含まれる。また、教育コンテンツ格納部２２に格納されている教育コンテンツは、例えば当該教育コンテンツが分割された複数の教育コンテンツ部分から構成されている。この場合、教育コンテンツを構成する複数の教育コンテンツ部分を全て受講することによって、当該教育コンテンツを受講したことになる。
【００２５】
受講者情報格納部２３には、教育システム３０において教育コンテンツを受講するユーザ（受講者）に関する情報（受講者情報）が格納されている。受講者情報格納部２３に格納されている受講者情報には、例えば教育コンテンツを受講するユーザを識別するためのユーザＩＤ及び当該ユーザに割り当てられているメールアドレス等が含まれる。このユーザに割り当てられているメールアドレスは、当該ユーザによって利用される携帯端末４０に対してメールを送信する際に用いられる。
【００２６】
コンテンツフィルタ３１は、教育コンテンツ格納部２２に格納されている教育コンテンツ（を構成する教育コンテンツ部分）からテキストを抽出する。換言すれば、コンテンツフィルタ３１は、教育コンテンツ格納部２２に格納されている教育コンテンツ（を構成する教育コンテンツ部分）をテキスト文章の構成に変換する。
【００２７】
メール送信部３２は、コンテンツフィルタ３１によって抽出されたテキストを携帯端末４０に送信する。この場合、メール送信部３２は、受講者情報格納部２３に格納されている受講者情報に含まれるメールアドレスを用いて、テキストをメールで送信する。
【００２８】
メール受信部３３は、メール送信部３２によって送信されたテキストにて教育コンテンツ（教育コンテンツ部分）を受講（学習）した旨を示す通知を、携帯端末４０から受信する。
【００２９】
受講状況管理部３４は、メール受信部３３によって受信された通知に応じて、教育コンテンツに対するユーザの受講状況を管理する。この場合、受講状況管理部３４は、教育コンテンツに対するユーザの受講状況を管理するための受講状況番号及び当該受講状況を示す受講状況情報を受講状況格納部２４に格納する。なお、受講状況管理部３４は、教育コンテンツに対するユーザの受講状況を管理するための受講状況番号を、例えばメール送信部３３を介して携帯端末４０に送信する。
【００３０】
また、受講状況管理部３４は、受講状況番号を固定端末５０から受信する。受講状況管理部３４は、受信された受講状況番号に対応づけて受講状況格納部２４に格納されている受講状況情報を取得する。
【００３１】
教育コンテンツ配信部３５は、受講状況管理部３４によって取得された受講状況情報に基づいて、教育コンテンツ格納部２２に格納されている教育コンテンツ（を構成する教育コンテンツ部分）を固定端末５０に配信する。
【００３２】
なお、教育コンテンツ配信部３５によって配信された教育コンテンツの受講が固定端末５０において完了された場合、固定端末５０は、当該教育コンテンツの受講を完了した旨を示す通知を教育システム３０（に含まれる受講状況管理部３４）に返す。この場合、受講状況管理部３４は、固定端末５０から返された通知に基づいて、受講状況格納部２４に格納されている受講状況情報を更新する。
【００３３】
図３は、図２に示す教育システム３０に含まれる受講者情報格納部２３のデータ構造の一例を示す。
【００３４】
図２に示すように受講者情報格納部２３には、ユーザＩＤ及びメールアドレスが対応づけて格納される。ユーザＩＤは、教育システム３０において教育コンテンツを受講するユーザを識別するための識別子である。メールアドレスは、対応づけられているユーザＩＤによって識別されるユーザに割り当てられているメールアドレス（当該ユーザによって利用される携帯端末４０のメールアドレス）である。
【００３５】
図３に示す例では、受講者情報格納部２３には、ユーザＩＤ「１」及びメールアドレス「アドレス１」が対応づけて格納されている。これによれば、ユーザＩＤ「１」によって識別されるユーザに割り当てられているメールアドレスが「アドレス１」であることが示されている。
【００３６】
また、受講者情報格納部２３には、ユーザＩＤ「２」及びメールアドレス「アドレス２」が対応づけて格納されている。これによれば、ユーザＩＤ「２」によって識別されるユーザに割り当てられているメールアドレスが「アドレス２」であることが示されている。
【００３７】
このように、受講者情報格納部２３には、教育システム３０において教育コンテンツを受講するユーザに関する情報が、当該ユーザ毎に格納されている。
【００３８】
次に、本実施形態に係る教育システム３０の動作について説明する。ここでは、例えばＨＴＭＬで構成された教育コンテンツが教育コンテンツ格納部２２に登録（格納）されており、当該教育コンテンツが例えば固定端末５０で受講可能な状態であるものとする。
【００３９】
なお、教育コンテンツ格納部２２に格納されている教育コンテンツは、上記したように当該教育コンテンツが分割された複数の教育コンテンツ部分から構成されている。
【００４０】
以下の説明においては、教育コンテンツ格納部２２に格納されている教育コンテンツは、例えば講義等の内容を含む教育コンテンツ部分（以下、第１の教育コンテンツ部分と表記）及び当該講義等の内容を確認するためのテスト（修了テスト）を含む教育コンテンツ部分（以下、第２の教育コンテンツ部分と表記）から構成されるものとする。また、教育コンテンツを構成する教育コンテンツ部分のうち、例えば第１の教育コンテンツ部分は携帯端末４０において受講され、例えば第２の教育コンテンツ部分については固定端末で受講されるものとする。
【００４１】
以下、携帯端末４０（携帯電話）において教育コンテンツ（を構成する第１の教育コンテンツ部分）が受講される際の処理及び固定端末５０（ＰＣ）において教育コンテンツ（を構成する第２の教育コンテンツ部分）が受講される際の処理について説明する。なお、以下の説明においては、携帯端末４０及び固定端末５０において教育コンテンツを受講するユーザを対象ユーザと称する。また、対象ユーザによって受講される教育コンテンツを対象教育コンテンツと称する。
【００４２】
まず、図４のフローチャートを参照して、携帯端末４０において教育コンテンツが受講される際の教育システム３０の処理手順について説明する。
【００４３】
教育システム３０に含まれるコンテンツフィルタ３１は、教育コンテンツ格納部２２に格納されている対象教育コンテンツ（対象ユーザが受講する教育コンテンツ）を取得する（ステップＳ１）。
【００４４】
次に、コンテンツフィルタ３１は、取得された対象教育コンテンツ（を構成するＨＴＭＬファイル）からテキストを抽出する（ステップＳ２）。ここで、上記したように携帯端末４０においては、第１の教育コンテンツ部分が受講される。この場合、コンテンツフィルタ３１は、対象教育コンテンツを構成する複数の教育コンテンツ部分のうち第１の教育コンテンツ部分からテキストを抽出する。なお、コンテンツフィルタ３１によって抽出されたテキストは、例えばメールで送信するためのメール用テキスト文に加工される。
【００４５】
メール送信部３２は、コンテンツフィルタ３１によって抽出されたテキスト（メール用テキスト文）をメール（例えば、ｅメール）で送信する（ステップＳ３）。このとき、メール送信部３２は、対象ユーザを識別するためのユーザＩＤに対応づけて受講者情報格納部２３に格納されているメールアドレスを用いてメールを送信する。これにより、コンテンツフィルタ３１によって抽出されたテキストは、対象ユーザによって利用される携帯端末４０に送信される。
【００４６】
なお、対象教育コンテンツを構成する第１の教育コンテンツ部分に画像（情報）が含まれている場合には、コンテンツフィルタ３１は、当該画像を抽出する。この場合、メール送信部３２は、コンテンツフィルタ３１によって抽出された画像を携帯端末４０で表示するための情報、例えばＵＲＬ（Uniform Resource Locator）を、テキストとともにメールで送信する（つまり、メールに当該ＵＲＬが追記される）。なお、携帯端末４０においては、当該携帯端末４０が有する例えばブラウザ機能によって、メールで送信されたＵＲＬから画像を表示することができる。
【００４７】
メール送信部３２によって送信されたテキスト及びＵＲＬは、対象ユーザが利用する携帯端末４０において受信される。これにより、対象ユーザは、携帯端末４０において受信されたテキスト及びＵＲＬから表示される画像にて、当該テキスト及び画像が抽出された第１の教育コンテンツ部分を受講する（つまり、第１の教育コンテンツ部分の学習を行う）ことができる。
【００４８】
このように携帯端末４０において第１の教育コンテンツ部分が受講されると、例えば当該第１の教育コンテンツ部分に対する対象ユーザの受講が完了した（つまり、テキスト及び画像を学習した）旨を示す通知のメール（以下、受講完了メールと表記）が当該携帯端末４０から送信される。
【００４９】
この場合、教育システム３０に含まれるメール受信部３３は、携帯端末４０から送信された受講完了メールを受信する（ステップＳ４）。
【００５０】
メール受信部３３によって受講完了メールが受信されると、受講状況管理部３４は、ステップＳ１において取得された対象教育コンテンツに対する対象ユーザの受講状況を示す受講状況情報を受講状況格納部２４に登録（格納）する（ステップＳ５）。この場合、受講状況管理部３４は、ステップＳ１において取得された対象教育コンテンツに対する対象ユーザの受講状況を管理するための受講状況番号に対応づけて、当該対象ユーザが受講した教育コンテンツ部分（ここでは、第１の教育コンテンツ部分）を示す受講状況情報を受講状況格納部２４に格納する。なお、受講状況番号は、例えば対象ユーザからの受講完了メールを受信後、順番に連番を発行する仕組みや、対象ユーザから受信したメールアドレスと受講状況番号として利用しても良く、他のユーザの受講状況と識別可能なように受講状況管理部３４によって発行される。ここで、図５は、図４に示すステップＳ５において受講状況情報が登録された後の受講状況格納部２４のデータ構造の一例を示す。
【００５１】
図５に示すように、受講状況格納部２４には、受講状況番号に対応づけて受講状況情報が格納される。この場合、受講状況番号は、対象教育コンテンツに対する対象ユーザの受講状況を管理するために用いられる番号である。また、受講状況情報は、対象教育コンテンツに対する対照ユーザの受講状況を示す情報であり、具体的には対象教育コンテンツを構成する複数の教育コンテンツ部分のうち対象ユーザが受講を完了した教育コンテンツ部分を示す。
【００５２】
図５に示す例では、受講状況格納部２４には、受講状況番号「１」に対応づけて受講状況情報「第１の教育コンテンツ部分」が格納されている。これによれば、対象教育コンテンツに対する対象ユーザの受講状況を管理するための受講状況番号が「１」であり、対象教育コンテンツを構成する複数の教育コンテンツ部分のうち第１の教育コンテンツ部分まで対象ユーザが受講を完了していることが示されている。
【００５３】
再び図４に戻ると、受講状況管理部３４は、発行された受講状況番号（つまり、対象教育コンテンツに対する対象ユーザの受講状況を管理するための受講状況番号）をメールで対象ユーザが利用する携帯端末４０に送信する（ステップＳ６）。このとき、受講状況管理部３４は、対象ユーザを識別するためのユーザＩＤに対応づけて受講者情報格納部２３に格納されているメールアドレスを用いて、例えばメール送信部３２を介してメールを送信する。このように受講状況番号が送信された場合、対象ユーザによって利用される携帯端末４０では、当該受講状況番号が受信される。この受講状況番号は、後述するように対象ユーザが対象教育コンテンツを例えば固定端末５０等で継続して受講する際に用いられる。
【００５４】
上記したような処理が実行されることによって、対象ユーザは、携帯端末４０において対象教育コンテンツ（を構成する第１の教育コンテンツ部分）を受講することができる。また、携帯端末４０における対象教育コンテンツに対する対象ユーザの受講状況は、上記したように受講状況格納部２４において管理される。
【００５５】
次に、図６に示すフローチャートを参照して、固定端末５０において教育コンテンツが受講される際の教育管理システム３０の処理手順について説明する。
【００５６】
ここでは、上記した図４において説明したように対象ユーザによって対象教育コンテンツの一部（当該対象教育コンテンツを構成する第１の教育コンテンツ部分）が受講された場合において、当該対象ユーザが、固定端末５０において当該対象教育コンテンツを継続して受講する場合を想定する。
【００５７】
この場合、対象ユーザは、上記したように携帯端末４０において対象教育コンテンツ（を構成する第１の教育コンテンツ部分）が受講された場合に携帯端末４０において受信された受講状況番号を、固定端末５０において入力する。
【００５８】
このように受講状況番号が固定端末５０において入力されると、当該固定端末５０から受講状況番号が送信され、教育システム５０に含まれる受講状況管理部３４は、当該受講状況番号を取得（受信）する（ステップＳ１１）。
【００５９】
次に、受講状況管理部３４は、受講状況格納部２４を参照して、対象教育コンテンツ（つまり、対象教育コンテンツを構成する複数の教育コンテンツ部分）に対する対象ユーザの受講が全て完了しているか否かを判定する（ステップＳ１２）。
【００６０】
具体的には、受講状況管理部３４は、ステップＳ１１において取得された受講状況番号に対応づけて受講状況格納部２４に格納されている受講状況情報が対象教育コンテンツを構成する教育コンテンツ部分のうちの最後の教育コンテンツ部分（例えば、第２の教育コンテンツ部分）を示すか否かに基づいて判定処理を実行する。つまり、ステップＳ１１において取得された受講状況番号に対応づけて受講状況格納部２４に格納されている受講状況情報が最後の教育コンテンツ部分を示す場合（第２の教育コンテンツ部分を示す場合）、対象教育コンテンツに対する対象ユーザの受講が全て完了していると判定される。一方、ステップＳ１１において取得された受講状況番号に対応づけて受講状況格納部２４に格納されている受講状況情報が最後の教育コンテンツ部分を示さない場合（第１の教育コンテンツ部分を示す場合）、対象コンテンツに対する対象ユーザの受講が全て完了していないと判定される。
【００６１】
対象コンテンツに対する対象ユーザの受講が全て完了していないと判定された場合（ステップＳ１２のＮＯ）、教育コンテンツ配信部３５は、対象教育コンテンツを取得する。教育コンテンツ配信部３５は、取得された対象教育コンテンツを構成する複数の教育コンテンツ部分のうち対象ユーザによって受講されていない教育コンテンツ部分（例えば、第２の教育コンテンツ部分）を、対象ユーザによって利用される固定端末５０に配信する（ステップＳ１３）。これにより、対象ユーザは、第２の教育コンテンツ部分（対象ユーザによって受講されていない教育コンテンツ部分）を固定端末５０上で受講することができる。
【００６２】
このように固定端末５０において対象ユーザによって第２の教育コンテンツ部分が受講されると、例えば当該第２の教育コンテンツ部分に対する当該対象ユーザの受講が完了した旨を示す通知（以下、受講完了通知と表記）が当該固定端末５０から送信される。
【００６３】
この場合、教育システム３０に含まれる受講状況管理部３４は、固定端末５０から送信された受講完了通知を受信する（ステップＳ１４）。
【００６４】
受講状況管理部３４は、受講完了通知が受信されると、受講状況格納部２４に格納されている対象教育コンテンツに対する対象ユーザの受講状況を示す受講状況情報を更新する（ステップＳ１５）。この場合、受講状況管理部３４は、ステップＳ１１において取得された受講状況番号に対応づけて受講状況格納部２４に格納されている受講状況情報（ここでは、第１の教育コンテンツ部分を示す受講状況情報）を、ステップＳ１４において受信された受講完了通知によって示される対象ユーザが受講した教育コンテンツ部分（第２の教育コンテンツ部分）を示す受講状況情報に更新する。
【００６５】
このように、固定端末５０において対象教育コンテンツが受講された際に、別の端末（携帯端末４０）において受講した履歴が受講状況格納部２４に格納（登録）されている場合には、当該固定端末５０における対象教育コンテンツに対する対象ユーザの受講状況を示す受講状況情報が当該受講状況格納部２４に追記される（つまり、上書きされる）。
【００６６】
上記したように本実施形態においては、教育コンテンツからテキストを抽出し、当該抽出されたテキストを携帯端末４０（第１の端末）に送信し、当該送信されたテキストにて教育コンテンツを受講した旨を示す通知を当該携帯端末４０から受信し、当該受信された通知に応じて、教育コンテンツに対するユーザの受講状況を管理するための受講状況番号に対応づけて当該受講状況を示す受講状況情報が受講状況格納部２４に格納され、当該受講状況格納部２４に格納された受講状況番号を携帯端末４０に送信し、当該送信された受講状況番号が固定端末５０から受信された場合、当該受信された受講状況番号に対応づけて受講状況格納部２４に格納されている受講状況情報に基づいて教育コンテンツを固定端末５０に配信する構成により、携帯端末４０及び固定端末５０のような端末毎に教育コンテンツを用意することなく当該各端末において同一の教育コンテンツを受講することを可能とする。
【００６７】
つまり、本実施形態においては、携帯端末４０において受信されたメール（テキスト）にて教育コンテンツの受講が可能となり、端末毎に教育コンテンツ等を用意する必要がない。また、携帯端末４０においてメールが受信された後であればオンラインの状況でなくても教育コンテンツの受講が可能となる。また、本実施形態においては、例えば携帯端末４０に送信された受講状況番号をキーとして受講状況が管理されるため、端末毎で異なる受講履歴を一元管理することができる。
【００６８】
また、本実施形態においては、教育コンテンツを構成する教育コンテンツ部分からテキストを抽出し、当該教育コンテンツを構成する複数の教育コンテンツ部分のうちユーザが受講した教育コンテンツ部分を示す受講状況情報が受講状況格納部２４に格納され、当該受講状況情報に基づいてユーザによって受講されていない教育コンテンツ部分を固定端末５０に配信する構成により、上記したように端末毎で異なる受講履歴を一元管理することができ、例えば携帯端末４０において受講された教育コンテンツを継続して固定端末５０において受講することが可能となる。同様に、本実施形態においては、固定端末５０における教育コンテンツに対するユーザの受講状況についても管理することができる。
【００６９】
また、本実施形態においては、教育コンテンツに含まれる画像を携帯端末４０で表示するための情報（例えば、ＵＲＬ）を携帯端末４０に送信する構成により、携帯端末４０においてもより質の高い教育コンテンツを受講することが可能となる。
【００７０】
なお、本実施形態においては、携帯端末４０において教育コンテンツを構成する教育コンテンツ部分（第１の教育コンテンツ部分）が受講された後に、固定端末５０において当該受講されていない教育コンテンツ部分（第２の教育コンテンツ部分）が受講されるものとして説明したが、固定端末５０において教育コンテンツ部分が受講された後に、当該受講されていない教育コンテンツ部分が存在している場合に当該教育コンテンツ部分が再度携帯端末４０において受講されても構わない。このような場合であっても、本実施形態においては、上記したように受講状況格納部２４（に格納されている受講状況情報）がその都度更新されることにより、受講状況番号をキーとして当該端末毎で異なる受講履歴を一元管理することが可能である。
【００７１】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。
【符号の説明】
【００７２】
１０…コンピュータ、２０…外部記憶装置、２２…教育コンテンツ格納部、２３…受講者情報格納部、２４…受講状況格納部、３０…教育システム、３１…コンテンツフィルタ、３２…メール送信部、３３…メール受信部、３４…受講状況管理部、３５…教育コンテンツ配信部。
【図１】
2012255997.tif 000003
【図２】
2012255997.tif 000004
【図３】
2012255997.tif 000005
【図４】
2012255997.tif 000006
【図５】
2012255997.tif 000007
【図６】
2012255997.tif 000008